(57)【要約】【課題】昇降用梯子の設置角度が、推奨される角度であるか否かを容易かつ正確に判断すること。【解決手段】昇降用梯子３００の、脚部３０１に取り外し可能に取り付けられる固定部材と、前記固定部材に設けられて、当該固定部材が前記脚部３０１に取り付けられた状態における前記一対の脚部３０１の対向方向を軸心とする軸心周りに、自重によって回動可能な角度指示部材と、前記固定部材が前記脚部３０１に取り付けられた状態において、前記脚部３０１の長手方向が水平方向に対して所定の角度をなす場合の前記角度指示部材の位置を示す指標と、を備えた設置角度案内装置１００を構成した。【選択図】図４
2014185459.tif 000002
【特許請求の範囲】
【請求項１】
一対の脚部の間において互いに平行に設けられた複数の踏桟を備える梯子の、前記脚部に取り外し可能に取り付けられる固定部材と、
前記固定部材に設けられて、当該固定部材が前記脚部に取り付けられた状態における前記一対の脚部の対向方向を軸心とする軸心周りに、自重によって回動可能な角度指示部材と、
前記固定部材が前記脚部に取り付けられた状態において、前記脚部の長手方向が水平方向に対して所定の角度をなす場合の前記角度指示部材の位置を示す指標と、
を備えたことを特徴とする設置角度案内装置。
【請求項２】
前記固定部材に設けられて、当該固定部材が前記脚部に取り付けられた状態において上方に延出し、先端部が屈曲したフック部材を備えたことを特徴とする請求項１に記載の設置角度案内装置。
【請求項３】
前記固定部材は、
対向配置された一対の支持部材と、
前記一対の支持部材を互いに接離する方向に変位可能に保持するとともに、当該一対の支持部材どうしを当該一対の支持部材が任意の間隔で対向する位置で固定する間隔調整部材と、
によって構成されたことを特徴とする請求項２に記載の設置角度案内装置。
【発明の詳細な説明】
【技術分野】
【０００１】
この発明は、梯子の設置角度を案内する設置角度案内装置に関する。
【背景技術】
【０００２】
たとえば、変電所に設置された断路器などの電気設備の点検作業に際しては、昇降用梯子を用いて当該電気設備に昇る場合がある。従来、昇降用梯子を設置する場所が、バラス（バラスト）が敷かれた地面などのように不安定な場所である場合、当該昇降用梯子をロープなどを用いて断路器の架台などに固定していた。
【０００３】
昇降用梯子をロープなどを用いて固定する際は、たとえば、バラスが敷かれた地面上において断路器の架台に立て掛けた昇降用梯子を地上において２名の作業者が支え、この状態で昇降用梯子を固定する作業者が片手にロープを持って昇降用梯子を昇り、当該昇降用梯子を固定する位置において昇降用梯子と断路器の架台とをロープによって括り、昇降用梯子を断路器の架台に固定する作業をおこなっていた。
【０００４】
不安定な場所において断路器の架台に立て掛けた昇降用梯子を、ロープを片手に持った状態で昇る作業は、作業者の体勢が不安定になりやすく、安全性に劣る。また、昇降用梯子を断路器の架台にロープを用いて固定しても、当該昇降用梯子を支える地面が不安定であるため、当該昇降用梯子の昇降を繰り返す間にロープに緩みが生じ、昇降用梯子の固定が不十分になって当該昇降用梯子がぐらつくことがあり、安全性に劣る。
【０００５】
昇降用梯子の位置を固定する固定具に関連する技術として、具体的には、従来、たとえば、ベルトの繰り出し方向の回転のみを規制するリールが組み込まれた梯子固定具を梯子の踏桟に取り付け、当該梯子固定具から繰り出したベルトによって固定対象物に対する梯子の位置を固定するようにした技術があった（たとえば、下記特許文献１を参照。）。
【０００６】
また、具体的には、従来、たとえば、固定対象物に当接する位置にゴムなどの滑り止め部材を配置し、梯子の脚に対して任意の角度で固定可能なフックを備え、固定対象物に対して梯子の脚（滑り止め部）が当接する位置よりも奥（梯子の脚から離れた位置）において、角度を調整したフックを固定対象物に引っ掛けることによって、梯子の横滑りを防止するようにした技術があった（たとえば、下記特許文献２を参照。）。
【０００７】
また、具体的には、従来、たとえば、フックが取り付けられた金具を、梯子の脚における任意の位置に固定することにより、梯子の横滑りを防止するようにした技術があった（たとえば、下記特許文献３を参照。）。
【０００８】
労働安全衛生規則においては、昇降用梯子の脚が地面（水平面）に対して７５度の角度をなすように設置する安全基準が定められている。従来、水平基準となる地面や垂直基準となる建物の壁面などを利用して昇降用梯子の設置角度を調整する目安となるラベルが設けられている昇降用梯子があった。
【０００９】
具体的には、従来、たとえば、複数の桁材間に平行に架設された複数の踏み板を桁材間において回動自在とすることにより、梯子をどのような掛止角度で掛止しても、踏み板を水平に保つことができるようにした技術があった（たとえば、下記特許文献４を参照。）。また、具体的には、従来、たとえば、加速度センサの検出値と基準傾度との比較値に基づいて、立てかけた梯子の傾度を報知するようにした技術があった（たとえば、下記特許文献５を参照。）。
【先行技術文献】
【特許文献】
【００１０】
【特許文献１】特開２００６−０５２５３３号公報
【特許文献２】特開２００１−１４０５６９号公報
【特許文献３】特開平８−０１３９６７号公報
【特許文献４】特開平９−１７７４５８号公報
【特許文献５】特開２００８−２０２２２６号公報
【発明の概要】
【発明が解決しようとする課題】
【００１１】
しかしながら、上述した特許文献１〜４に記載された技術を含む従来の技術は、いずれも、昇降用梯子の設置角度（脚部の長手方向が水平方向に対してなす角度）が、推奨される角度であるか否かを正確に判断することができないという問題があった。昇降用梯子の設置角度（脚部の長手方向が水平方向に対してなす角度）が、推奨される角度ではない場合、昇降用梯子の昇降に際しての作業者の安全性を確保することが難しいという問題があった。
【００１２】
また、上述した特許文献１〜４に記載された技術を含む従来の技術は、いずれも、考案の固定具の昇降用梯子に対する取付位置が、当該昇降用梯子の踏桟の位置によっては制限を受ける場合があり、使用に際しての自由度が低いという問題があった。このため、昇降用梯子に対する考案の固定具の取付位置によっては、固定対象物に対して昇降用梯子を十分に固定することができず、昇降用梯子の昇降に際しての作業者の安全性を確保することが難しいという問題があった。
【００１３】
また、上述した特許文献５に記載された従来の技術である梯子の傾度報知器は、立てかけた梯子の傾度を加速度センサを用いて計測しているため、構造が複雑になり、梯子の傾度報知器の製造にかかる負担が大きいという問題があった。また、上述した特許文献５に記載された梯子の傾度報知器は、たとえば、加速度センサを動作させる電源（電池）が必要であるため、作業前あるいは定期的に電源をＯＮ／ＯＦＦして動作確認をする（電池残量を点検する）など、梯子の傾度報知器の維持にかかる負担が大きく煩わしいという問題や、梯子の傾度報知器の維持にかかるコストがかかるという問題があった。
【００１４】
この発明は、上述した従来技術による問題点を解消するため、昇降用梯子の設置角度（脚部の長手方向が水平方向に対してなす角度）が、推奨される角度であるか否かを容易かつ正確に判断することができる設置角度案内装置を提供することを目的とする。
【課題を解決するための手段】
【００１５】
上述した課題を解決し、目的を達成するため、この発明にかかる設置角度案内装置は、一対の脚部の間において互いに平行に設けられた複数の踏桟を備える梯子の、前記脚部に取り外し可能に取り付けられる固定部材と、前記固定部材に設けられて、当該固定部材が前記脚部に取り付けられた状態における前記一対の脚部の対向方向を軸心とする軸心周りに、自重によって回動可能な角度指示部材と、前記固定部材が前記脚部に取り付けられた状態において、前記脚部の長手方向が水平方向に対して所定の角度をなす場合の前記角度指示部材の位置を示す指標と、を備えたことを特徴とする。
【００１６】
また、この発明にかかる設置角度案内装置は、上記の発明において、前記固定部材に設けられて、当該固定部材が前記脚部に取り付けられた状態において上方に延出し、先端部が屈曲したフック部材を備えたことを特徴とする。
【００１７】
また、この発明にかかる設置角度案内装置は、上記の発明において、前記固定部材が、対向配置された一対の支持部材と、前記一対の支持部材を互いに接離する方向に変位可能に保持するとともに、当該一対の支持部材どうしを当該一対の支持部材が任意の間隔で対向する位置で固定する間隔調整部材と、によって構成されたことを特徴とする。
【発明の効果】
【００１８】
この発明にかかる設置角度案内装置によれば、昇降用梯子の設置角度が、推奨される角度であるか否かを容易かつ正確に判断することができるという効果を奏する。
【図面の簡単な説明】
【００１９】
【図１】この発明にかかる設置角度案内装置を示す説明図（その１）である。
【図２】この発明にかかる設置角度案内装置を示す説明図（その２）である。
【図３】この発明にかかる実施の形態の設置角度案内装置の取り付け対象となる昇降用梯子を示す説明図である。
【図４】この発明にかかる実施の形態の設置角度案内装置の使用例を示す説明図（その１）である。
【図５】この発明にかかる実施の形態の設置角度案内装置の使用例を示す説明図（その２）である。
【図６】この発明にかかる実施の形態の設置角度案内装置の使用例を示す説明図（その３）である。
【図７】この発明にかかる実施の形態の設置角度案内装置の使用例を示す説明図（その４）である。
【図８】この発明にかかる実施の形態の設置角度案内装置の使用例を示す説明図（その５）である。
【発明を実施するための形態】
【００２０】
以下に添付図面を参照して、この発明にかかる設置角度案内装置の好適な実施の形態を詳細に説明する。
【００２１】
図１および図２は、この発明にかかる設置角度案内装置を示す説明図である。図１においては、この発明にかかる設置角度案内装置の斜視状態を示している。図２においては、この発明にかかる設置角度案内装置を一部分解した状態を示している。図１において、この発明にかかる設置角度案内装置１００は、固定部材１０１を備えている。
【００２２】
固定部材１０１は、一対の支持部材１０２、１０３と間隔調整部材１０４とを備える。一対の支持部材１０２、１０３は、それぞれ、略Ｌ字形状をなす板金部材によって構成されている。一対の支持部材１０２、１０３は、それぞれ、一方の面を重ねあわせ、他方の面を互いに対向させた状態で、間隔調整部材１０４によって連結されている。
【００２３】
一対の支持部材１０２、１０３は、それぞれ、重ね合わされた一面に、間隔調整部材１０４が挿入される孔２０１、２０２が形成された突片１０２ａ、１０３ａを備えている。突片１０３ａは、一方の支持部材１０２に形成されたスリット１０２ｂを貫通して、突片１０２ａと同じ方向に突出している。
【００２４】
各突片に形成された孔２０１、２０２は、それぞれ、一対の支持部材１０２、１０３の対向方向に沿って各突片１０２ａ、１０３ａを貫通している。間隔調整部材１０４は、外周面にネジ山が形成された軸部１０４ａを備えたボルト形状をなし、各突片１０２ａ、１０３ａに設けられた孔２０１、２０２を貫通するように各孔２０１、２０２に挿入されている。
【００２５】
間隔調整部材１０４は軸部の長手方向を軸心として当該軸心回りに回転可能な状態で、一対の支持部材１０２、１０３のうちの一方の支持部材１０２の突片１０２ａに設けられた孔２０１に挿入されている。間隔調整部材１０４は、突片１０２ａに設けられた孔２０１内において回転した場合にも、軸部１０４ａの長手方向における一方の支持部材１０２の位置が一定となるように、当該孔２０１に挿入されている。
【００２６】
他方の支持部材１０３の突片１０３ａに設けられた孔２０２の内周面には、間隔調整部材１０４の外周面に形成されたネジ山と同ピッチのネジ山が設けられている。間隔調整部材１０４は、他方の支持部材１０３の突片１０３ａに設けられた孔２０２のネジ山に螺合させた状態で、他方の支持部材１０３の突片１０３ａに設けられた孔２０２に挿入されている。
【００２７】
他方の支持部材１０３を手で押さえるなどして当該他方の支持部材１０３の位置を固定した状態で、間隔調整部材１０４を回転させると、他方の支持部材１０３の突片１０３ａに設けられた孔２０２のネジ山と間隔調整部材１０４の外周面に形成されたネジ山との螺合状態が変化する。一対の支持部材１０２、１０３は、間隔調整部材１０４の回転方向に応じて、互いに接離する方向に変位する。
【００２８】
たとえば、間隔調整部材１０４を、突片１０３ａに設けられた孔２０２に締め込む方向（右回り方向）に回転させると、一対の支持部材１０２、１０３は、突片１０２ａ、１０３ａどうしの間隔が狭くなる方向に変位する。また、たとえば、間隔調整部材１０４を、突片１０３ａに設けられた孔２０２に対して緩める方向（左回り方向）に回転させると、一対の支持部材１０２、１０３は、突片１０２ａ、１０３ａどうしの間隔が広くなる方向に変位する。これにより、間隔調整部材１０４は、一対の支持部材１０２、１０３が任意の間隔で対向する位置で、当該一対の支持部材１０２、１０３どうしの位置を固定することができる。
【００２９】
間隔調整部材１０４は、軸部１０４ａの長さ方向における一端側に、作業者によって把持される把持部１０４ｂを備えている。軸部１０４ａの長さ方向における他端（先端）側には、ナット１０４ｃが螺合される。これにより、間隔調整部材１０４が孔２０１、２０２から抜け落ちることを防止できる。
【００３０】
固定部材１０１には、角度指示部材１０５が設けられている。角度指示部材１０５は、固定部材１０１を構成する他方の支持部材１０３に軸支されている。設置角度案内装置１００は、角度指示部材１０５を固定部材１０１に軸支する軸１０５ａの軸心方向が、一対の脚部の対向方向に平行になるように、昇降用梯子の脚部（図３における符号３０１を参照）に取り付けられる。
【００３１】
角度指示部材１０５は、固定部材１０１が昇降用梯子の脚部に取り付けられた状態において一対の脚部の対向方向を軸心とする軸１０５ａの軸心周りに、自重によって回動可能とされている。角度指示部材１０５は、軸１０５ａ側とは反対側の端部（以下「角度指示部材１０５の先端」という）が、鉛直方向における下端に位置するように回動する。
【００３２】
角度指示部材１０５の先端には、おもり（図示を省略する）が設けられていてもよい。これにより、角度指示部材１０５を、自重によって確実に回転させることができる。
【００３３】
また、固定部材１０１には、指標１０６が設けられている。指標１０６は、固定部材１０１が昇降用梯子の脚部に取り付けられた状態において、当該脚部の長手方向が水平方向に対して所定の角度をなす場合の角度指示部材１０５の位置を示す。指標１０６は、具体的には、たとえば、脚部の長手方向が水平方向に対して所定の角度をなす場合の角度指示部材１０５の先端位置と重複する位置、あるいは、当該先端位置の延長線上となる位置に設けられたマークによって実現することができる。
【００３４】
指標１０６を実現するマークは、たとえば、丸印などの視認しやすい形状とすることが好ましい。指標１０６は、マークに加えて、昇降用梯子の設置角度として推奨される角度を示す文字などを含んでいてもよい。具体的には、たとえば、この実施の形態の設置角度案内装置１００においては、脚部の長手方向が水平方向に対して７５度の角度をなす場合に角度指示部材１０５の先端位置の延長線上に設けられたマークと、当該マークの近傍に設けられた「７５度」の文字と、によって指標１０６を実現することができる。
【００３５】
指標１０６が示す角度は、推奨される角度を、一定の範囲をもって案内してもよい。具体的には、指標１０６は、たとえば、推奨角度が７５度である場合、７３度から７７度の範囲を案内してもよい。この場合、指標１０６は、具体的には、たとえば、脚部の長手方向が水平方向に対して所定の角度をなす場合の角度指示部材１０５の範囲を示す図形などによって実現することができる。
【００３６】
角度指示部材１０５および指標１０６を覆うカバー部材１０７を備えている。カバー部材１０７は、透明な材料を用いて形成されている。カバー部材１０７は、たとえば、耐候性プラスチックなどと称される、耐候性に優れた高分子材料を用いて形成することができる。カバー部材１０７を設けることにより、角度指示部材１０５および指標１０６の劣化を防止して、角度指示部材１０５と指標１０６との位置関係を正しく案内することができる。また、カバー部材１０７を設けることにより、砂や埃などによって角度指示部材１０５の回転不良が生じることを防止し、角度指示部材１０５を正しく動作させることができる。
【００３７】
設置角度案内装置１００は、フック部材１０８を備える。フック部材１０８は、固定部材１０１に設けられ、当該固定部材１０１が昇降用梯子の脚部に取り付けられた状態において上方に延出し、先端部が略Ｕ字形に屈曲した形状をなす。フック部材１０８は、たとえば、金属材料などを用いて形成することができる。具体的には、フック部材１０８は、たとえば、金属製の棒状部材を、当該棒状部材の一端側を屈曲あるいは湾曲させることによって形成することができる。
【００３８】
フック部材１０８は、他方の支持部材１０３に対して、昇降用梯子の脚部の長手方向に平行な軸心回りに回転可能に設けられている。図１における矢印Ａは、フック部材１０８の回転方向を示している。これにより、昇降用梯子の固定対象物の形状などに応じて、フック部材１０８を回転させることができ、当該固定対象物にフック部材１０８を確実に引っ掛けることができる。
【００３９】
（昇降用梯子の設置手順）
つぎに、昇降用梯子の設置手順について、説明する。図３は、この発明にかかる実施の形態の設置角度案内装置１００の取り付け対象となる昇降用梯子を示す説明図である。図３において、昇降用梯子３００を設置する際は、まず、昇降用梯子３００に設置角度案内装置１００を取り付ける。昇降用梯子３００は、一対の脚部３０１と、当該一対の脚部３０１の間において互いに平行に設けられた複数の踏桟３０２と、を備える。
【００４０】
図４、図５、図６、図７および図８は、この発明にかかる実施の形態の設置角度案内装置１００の使用例を示す説明図である。図４、図５、図６、図７および図８において、昇降用梯子３００を設置する作業者は、まず、当該昇降用梯子３００の脚部３０１に設置角度案内装置１００を取り付ける。
【００４１】
具体的には、間隔調整部材１０４を回転させ、一対の支持部材１０２、１０３どうしの間隔を、脚部３０１の太さよりも大きくなるように拡げる。この状態で、一対の支持部材１０２、１０３の間に昇降用梯子３００の脚部３０１を位置付け、一対の支持部材１０２、１０３どうしの間隔が狭くなる方向に間隔調整部材１０４を回転させる。これにより、一対の支持部材１０２、１０３によって脚部３０１を挟み込み、脚部３０１に設置角度案内装置１００を取り付けることができる。
【００４２】
設置角度案内装置１００は、固定部材１０１における一対の支持部材１０２、１０３が対向する方向（図４における矢印４０１を参照）が、一対の脚部３０１の対向方向（図４における矢印４０２を参照）に直交する状態となるようにして脚部３０１に取り付ける。また、設置角度案内装置１００は、昇降用梯子３００の外側から取り付ける（図５を参照）。
【００４３】
つぎに、昇降用梯子３００を設置対象となる電気設備（図４においては、断路器４１０の架台４２０）などに立てかけるために、設置角度案内装置１００を取り付けた昇降用梯子３００を電気設備などに向けて傾ける。昇降用梯子３００を傾けると、脚部３０１の長さ方向が水平方向に対してなす角度（設置角度）が変化する。昇降用梯子３００に取り付けられた設置角度案内装置１００が備える角度指示部材１０５は、脚部３０１の設置角度の変化にともなって、先端が鉛直方向下側に位置するように回動する。
【００４４】
このようにして、作業者は、指標１０６に対する角度指示部材１０５の位置を目視によって確認しながら、角度指示部材１０５の先端が指標１０６を指し示すように昇降用梯子３００の角度を調整する。たとえば、昇降用梯子３００を倒しすぎた場合、設置角度は推奨される角度よりも小さくなる。このように、昇降用梯子３００を倒しすぎた場合、角度指示部材１０５の先端と指標１０６との位置関係は、図６のようになる。
【００４５】
作業者は、指標１０６に対する角度指示部材１０５の位置を目視によって確認しながら、角度指示部材１０５の先端の位置が、図６に示したように指標１０６からずれている（角度指示部材１０５の先端が指標１０６を指示していない）場合は、当該昇降用梯子３００の設置角度が大きくなるように、当該昇降用梯子３００を起こす。
【００４６】
また、たとえば、昇降用梯子３００が立ちすぎている場合、設置角度は推奨される角度よりも大きくなる。このように、昇降用梯子３００が立ちすぎている場合、角度指示部材１０５の先端と指標１０６との位置関係は、図７のようになる。
【００４７】
作業者は、指標１０６に対する角度指示部材１０５の位置を目視によって確認しながら、角度指示部材１０５の先端の位置が、図７に示したように指標１０６からずれている（角度指示部材１０５の先端が指標１０６を指示していない）場合は、当該昇降用梯子３００の設置角度が小さくなるように、当該昇降用梯子３００を倒す。
【００４８】
昇降用梯子３００の設置角度が推奨角度になった場合、角度指示部材１０５の先端は、図８に示したように、指標１０６を指し示す。このように、この発明にかかる実施の形態の設置角度案内装置１００を用いることによって、作業者は、指標１０６に対する角度指示部材１０５の位置（角度指示部材１０５の先端が指標１０６を指し示しているか否か）を目視によって確認しながら昇降用梯子３００の傾きを調整するだけの簡単な作業で、容易かつ確実に昇降用梯子３００を推奨される設置角度で設置することができる。
【００４９】
また、この発明にかかる実施の形態の設置角度案内装置１００は、設置角度の確認に用いることができる。すなわち、この発明にかかる実施の形態の設置角度案内装置１００を取り付けた状態の昇降用梯子３００を設置対象物に立てかけ、この状態における指標１０６に対する角度指示部材１０５の位置（角度指示部材１０５の先端が指標１０６を指し示しているか否か）を目視することによって、当該昇降用梯子３００の設置角度が推奨角度範囲内であるか否かを判断することができ、これによって設置角度を確認することができる。
【００５０】
以上説明したように、この発明にかかる実施の形態の設置角度案内装置１００は、一対の脚部３０１の間において互いに平行に設けられた複数の踏桟３０２を備える梯子の、前記脚部３０１に取り外し可能に取り付けられる固定部材１０１と、前記固定部材１０１に設けられて、当該固定部材１０１が前記脚部３０１に取り付けられた状態における前記一対の脚部３０１の対向方向を軸心とする軸心周りに、自重によって回動可能な角度指示部材１０５と、前記固定部材１０１が前記脚部３０１に取り付けられた状態において、前記脚部３０１の長手方向が水平方向に対して所定の角度をなす場合の前記角度指示部材１０５の位置を示す指標１０６と、を備えたことを特徴としている。
【００５１】
この発明にかかる実施の形態の設置角度案内装置１００によれば、当該設置角度案内装置１００を既存の昇降用梯子３００に取り付けることにより、たとえば、設置角度を案内するラベルなどが設けられていない既存の昇降用梯子３００においても、当該昇降用梯子３００の設置角度（脚部３０１の長手方向が水平方向に対してなす角度）が、推奨される角度であるか否かを容易かつ正確に判断することができる。
【００５２】
このように、この発明にかかる実施の形態の設置角度案内装置１００によれば、昇降用梯子３００を容易かつ正確に推奨される角度で設置することができるので、当該設置角度案内装置１００を取り付けた昇降用梯子３００を用いて作業をおこなう場合は、ロープなどを手に持つことなく当該昇降用梯子３００を昇降することができる。これにより、この発明にかかる実施の形態の設置角度案内装置１００によれば、当該設置角度案内装置１００を用いて設置した昇降用梯子３００の昇降に際しての作業者の安全性の向上を図ることができる。
【００５３】
また、この発明にかかる実施の形態の設置角度案内装置１００によれば、昇降用梯子３００の設置場所における起伏の有無にかかわらず、昇降用梯子３００の設置角度（脚部３０１の長手方向が水平方向に対してなす角度）が、推奨される角度であるか否かを容易に確認することができる。
【００５４】
これにより、この発明にかかる実施の形態の設置角度案内装置１００を取り付けた昇降用梯子３００を、舗装された地面などのように平坦な場所に設置した場合であっても、バラスが敷かれた地面などのように起伏がある場所に設置した場合であっても、昇降用梯子３００の設置角度（脚部３０１の長手方向が水平方向に対してなす角度）が、推奨される角度範囲内に収まるようにして、当該昇降用梯子３００を設置することができる。これにより、この発明にかかる実施の形態の設置角度案内装置１００によれば、昇降に際しての作業者の安全性の向上を図ることができる。
【００５５】
また、この発明にかかる実施の形態の設置角度案内装置１００は、前記固定部材１０１に設けられて、当該固定部材１０１が前記脚部３０１に取り付けられた状態において上方に延出し、先端部が屈曲したフック部材１０８を備えたことを特徴としている。
【００５６】
この発明にかかる実施の形態の設置角度案内装置１００によれば、電気設備などの固定対象物に昇降用梯子３００を固定する際は、当該固定対象物にフック部材１０８を引っ掛けることによって、当該固定対象物に対する昇降用梯子３００の位置を容易かつ迅速に固定することができる。
【００５７】
これにより、この発明にかかる実施の形態の設置角度案内装置１００によれば、昇降用梯子３００の固定対象物に対する昇降用梯子３００の位置をロープを用いて固定する従来の方法と比較して、当該固定対象物に対する昇降用梯子３００の位置を固定する際の作業性の向上を図るとともに、当該固定対象物に対する昇降用梯子３００の位置がずれることや、当該昇降用梯子３００の昇降に際する当該昇降用梯子３００のぐらつきを防止することができ、昇降に際しての作業者の安全性の向上を図ることができる。
【００５８】
また、この発明にかかる実施の形態の設置角度案内装置１００によれば、電気設備などの固定対象物にフック部材１０８を引っ掛けるだけで、固定対象物に対する昇降用梯子３００の位置ずれや、当該昇降用梯子３００の昇降に際する当該昇降用梯子３００のぐらつきを容易かつ確実に防止することができるので、従来のように、昇降する作業者とは別の作業者が昇降用梯子３００を支える必要がない。
【００５９】
これにより、この発明にかかる実施の形態の設置角度案内装置１００によれば、固定対象物に対する昇降用梯子３００の位置をロープを用いて固定する従来の方法と比較して、昇降用梯子３００を用いた作業にかかわる作業者の数を減らすことができ、かつ、各作業者の負担軽減を図るとともに、昇降用梯子３００を昇降する作業者の安全性の向上を図ることができる。
【００６０】
また、この発明にかかる実施の形態の設置角度案内装置１００によれば、電気設備など固定対象物に引っ掛けたフック部材１０８を当該固定対象物から取り外すだけで、昇降用梯子３００を固定対象物から容易に取り外すことができる。これにより、この発明にかかる実施の形態の設置角度案内装置１００によれば、従来のようにロープを用いて固定した昇降用梯子３００を固定対象物から取り外す場合と比較して、固定に用いたロープをほどくなどの煩雑な作業をおこなうことなく、昇降用梯子３００を取り外す作業を容易におこなうことができる。
【００６１】
また、この発明にかかる実施の形態の設置角度案内装置１００は、前記固定部材１０１が、対向配置された一対の支持部材１０２、１０３と、前記一対の支持部材１０２、１０３を互いに接離する方向に変位可能に保持するとともに、当該一対の支持部材１０２、１０３どうしを当該一対の支持部材１０２、１０３が任意の間隔で対向する位置で固定する間隔調整部材１０４と、によって構成されたことを特徴としている。
【００６２】
この発明にかかる実施の形態の設置角度案内装置１００によれば、間隔調整部材１０４によって一対の支持部材１０２、１０３が対向する間隔を調整し、一対の支持部材１０２、１０３の間に昇降用梯子３００の脚部３０１を挟み込んだ状態で当該間隔を固定することにより、踏桟３０２の位置にかかわらず、脚部３０１の任意の位置に固定部材１０１を取り付けることができる。
【００６３】
これにより、この発明にかかる実施の形態の設置角度案内装置１００によれば、たとえば、昇降用梯子３００の固定対象物の形状や大きさに応じて、当該固定対象物に引っ掛かる位置にフック部材１０８を位置させることができる。そして、これにより、この発明にかかる実施の形態の設置角度案内装置１００によれば、昇降用梯子３００の固定対象物の形状や大きさなどに左右されることなく、固定対象物に対する昇降用梯子３００の位置を確実に固定することができ、昇降用梯子３００を昇降する作業者の安全性の向上を図ることができる。
【産業上の利用可能性】
【００６４】
以上のように、この発明にかかる設置角度案内装置は、梯子の設置角度を案内する設置角度案内装置に有用であり、特に、バラスが敷かれた地面などのように不安定な場所に設置される梯子の設置角度を案内する設置角度案内装置に適している。
【符号の説明】
【００６５】
１００  設置角度案内装置
１０１  固定部材
１０２、１０３  支持部材
１０２ａ、１０３ａ  突片
１０４  間隔調整部材
１０５  角度指示部材
１０８  フック部材
２０１、２０２  孔
【図１】
2014185459.tif 000003
【図２】
2014185459.tif 000004
【図３】
2014185459.tif 000005
【図４】
2014185459.tif 000006
【図５】
2014185459.tif 000007
【図６】
2014185459.tif 000008
【図７】
2014185459.tif 000009
【図８】
2014185459.tif 000010